(57)【要約】【課題】デジタル画像データにおける各画素の画素値に応じた画像処理を行うことのできる画像処理装置を得る。【解決手段】各画素の画素値に応じて、各画素の画素値に対する補正強度が設定されている、色および濃度別補正強度設定部４を備える。前記補正強度を用いて、各画素の画素値を補正する画像処理部７を備える。【選択図】　図１
2004072234.tif 000002
【特許請求の範囲】
【請求項１】
原画像の画像データに対して、各画素の画素値を補正する画像処理装置において、
前記各画素の画素値に応じて、前記各画素の画素値に対する補正強度が設定されている補正強度設定部と、
前記補正強度を用いて、前記各画素の画素値を補正する画像補正部とを備えることを特徴とする画像処理装置。
【請求項２】
前記各画素の画素値は、輝度および色から構成される表色系で表される画素値であることを特徴とする請求項１記載の画像処理装置。
【請求項３】
前記表色系は、輝度および色差によるＹＣ１Ｃ２色度座標系であることを特徴とする請求項２記載の画像処理装置。
【請求項４】
前記補正強度を変更するための補正強度変更部をさらに備えることを特徴とする請求項１〜３の何れか１項に記載の画像処理装置。
【請求項５】
前記画像補正部で行われる補正が、粒状抑制を行うための補正であることを特徴とする請求項１〜４の何れか１項に記載の画像処理装置。
【請求項６】
前記画像補正部で行われる補正が、鮮鋭化を行うための補正であることを特徴とする請求項１〜４の何れか１項に記載の画像処理装置。
【請求項７】
原画像の画像データに対して、各画素の画素値を補正する画像処理方法において、
前記各画素の画素値に応じて、前記各画素の画素値に対する補正強度を設定する補正強度設定ステップと、
前記補正強度を用いて、前記各画素の画素値を補正する画像補正ステップとを備えることを特徴とする画像処理方法。
【請求項８】
請求項１〜６の何れか１項に記載の画像処理装置の各部としてコンピュータを機能させるための画像処理プログラム。
【請求項９】
請求項７記載の画像処理方法をコンピュータに実行させるための画像処理プログラム。
【請求項１０】
請求項８または９記載の画像処理プログラムを記録した記録媒体。
【発明の詳細な説明】
【０００１】
【発明の属する技術分野】
本発明は、原画像をデジタル画像データとして読み取り、デジタル露光方式で印画紙に対して露光を行う際に、原画像の画像データに対して各画素の画素値を補正する画像処理方法に関するものである。
【０００２】
【従来の技術】
従来より、写真フィルム上の画像をスキャナ等によって読み取ることによって得られるデジタル画像データや、デジタルカメラによる撮影によって得られるデジタル画像データなどに基づいて、赤、青、緑の単色光を各画素毎に印画紙上に照射することによって焼付を行うデジタル露光が行われるようになっている。また、上記デジタル露光を行う前に、デジタル画像データに対して、例えば、色補正処理、濃度補正処理、粒状抑制処理、あるいは鮮鋭化処理等の画像処理を行うことにより、ユーザの要望に応じた画像を容易に提供することができるようにもなっている。
【０００３】
上記の画像処理のうち、例えば、鮮鋭化処理としては、特開平５−１６７８５２号公報、特開平６−６８２５２号公報、特開２０００−２７８５３２号公報、および、特開２００２−７７６６８号公報に様々な技術が開示されている。
【０００４】
具体的には、上記特開平５−１６７８５２号公報には、濃度の平坦部のざらつきをなくし、輪郭部を所望に応じ強調させる技術が開示されている。また、上記特開平６−６８２５２号公報には、ぼけの程度が異なる不特定多数の画像に対して、各画像に応じた最適で高画質な鮮鋭化を自動的に行う技術が開示されている。さらに、上記特開２０００−２７８５３２号公報に記載の発明は、本願発明者が成した発明であって、上記公報には、所定の画像が線画像を構成しているか否かを検出し、その検出結果に基づいて線画像に対応する画像データに対してのみ鮮鋭化を行う技術が開示されている。そして、特開２００２−７７６６８号公報には、画像のエッジ部にぎらつきのない自然な輪郭補正を行うことができる技術が開示されている。
【０００５】
また、上記粒状抑制処理と鮮鋭化処理と同時に行う画像処理としては、特開平１１−２８９４６８号公報、特開平１１−２９８７３８号公報、および、特開２００１−２１８０１５号公報に様々な技術が開示されている。
【０００６】
具体的には、上記特開平１１−２８９４６８号公報には、平坦部分の粒状性を抑えたり、特定濃度領域の粒状性を抑えたり、エッジのみの鮮鋭度を強調する技術が開示されている。また、上記特開平１１−２９８７３８号公報には、粒状抑制と鮮鋭強度とを効果的に両立し、かつ、粒状抑制されるべきでない部分が誤って粒状抑制されるのを防止する技術が開示されている。さらに、上記特開２００１−２１８０１５号公報には、撮影シーンを判別し、この判別結果に基づいて、最適な粒状抑制処理・鮮鋭化強調処理を施す技術が開示されている。
【０００７】
【発明が解決しようとする課題】
ところで、上記各公報に記載された画像処理を含め、デジタル画像データに対して施される画像処理は、一般に、デジタル画像の全領域あるいはデジタル画像の一部の領域に対して行われている。また、上記デジタル画像データに各種の画像処理を行う場合、いわゆるフィルタを用いて、上記全領域または一部の領域に対して画像処理が行なわれている。つまり、全領域または一部の領域におけるデジタル画像データに対しては、一般に、デジタル画像データの各データ情報に関わらず、同一内容の画像処理が行われている。また、上記特開平１１−２８９４６８号に記載のように、特定の濃度領域に対してのみ画像処理が行われるように設定されている場合もあるが、この場合にも、特定濃度領域内の画像データに対しては、同一内容の画像処理が行われている。
【０００８】
言い換えれば、上記従来の画像処理では、一画像処理の対象となる各デジタル画像データに対し、それぞれ同じ強度で画像処理が行われている。つまり、隣接し、かつ、異なる画像データを有する画像データ、例えばｄａｔ１（Ｒ１，Ｇ１，Ｂ１）およびｄａｔ２（Ｒ２，Ｇ２，Ｂ２）に対しても、同一強度で画像処理が行われる。
【０００９】
このため、例えば、上記の粒状抑制処理および／または鮮鋭化処理が行われても、デジタル画像データにおける各画素の画素値に応じた画像処理が行われているわけではないため、最良な画像処理後の画像が得られないという問題点がある。つまり、粒状抑制処理を例に挙げれば、粒状が目立たない画像データを有する画素に対しても、粒状が目立つ画像データを有する画素と同じ強度で粒状抑制が行われる。これにより、画像全体がぼけた状態となってしまう。
【００１０】
また、上記のように画像全体がぼけた状態となるのを避けるため、一部の領域を選択してそれぞれの領域に処理を行う方法では、その都度、領域指定を行わなければならず手間がかかる。とりわけ、領域毎に異なる強度で処理を行う場合には、さらに面倒な作業となる。
【００１１】
本発明は、上記従来の問題点に鑑みなされたものであって、その目的は、デジタル画像データにおける各画素の画素値に応じた画像処理を行うことのできる画像処理装置、画像処理方法、画像処理プログラム、および、画像処理プログラムを記録した記録媒体を提供することにある。
【００１２】
【課題を解決するための手段】
本発明の画像処理装置は、上記の課題を解決するために、原画像の画像データに対して、各画素の画素値を補正する画像処理装置において、前記各画素の画素値に応じて、前記各画素の画素値に対する補正強度が設定されている補正強度設定部と、前記補正強度を用いて、前記各画素の画素値を補正する画像補正部とを備えることを特徴としている。
【００１３】
上記の発明によれば、まず、補正強度設定部において、各画素の画素値に応じた補正強度が設定される。つまり、画素値毎に、それぞれ補正強度が設定される。そして、画像補正部においては、上記補正強度を用いて、各画素の画素値が補正される。すなわち、それぞれの画素値に対応した補正強度により、画素値の補正が行われる。
【００１４】
したがって、補正強度を、補正の内容、つまり画像処理の内容に応じて適宜設定しておくことにより、原画像の画像データにおける個々の画素値に則した画像処理を行うことができる画像処理装置を提供することが可能となる。
【００１５】
また、本発明の画像処理装置は、上記の画像処理装置において、前記各画素の画素値は、輝度および色から構成される表色系で表される画素値であることを特徴としている。
【００１６】
上記の発明によれば、画素値は、輝度および色から構成される表色系で表される。
【００１７】
したがって、輝度および色に応じて、補正強度を設定することが可能となる。
【００１８】
また、本発明の画像処理装置は、上記の画像処理装置において、前記表色系は、輝度および色差によるＹＣ１Ｃ２色度座標系であることを特徴としている。
【００１９】
上記の発明によれば、前記表色系が、ＹＣ１Ｃ２色度座標系である。すなわち、画素値は、輝度および色差で表される。
【００２０】
したがって、輝度および色差に応じて、補正強度を設定することが可能になる。
【００２１】
また、本発明の画像処理装置は、上記の画像処理装置において、前記補正強度を変更するための補正強度変更部をさらに備えることを特徴としている。
【００２２】
上記の発明によれば、補正強度変更部によって、一旦設定された補正強度を変更することができる。
【００２３】
したがって、ユーザが、適宜、上記補正強度を変更することにより、ユーザの好みに応じた画像処理が可能となる。
【００２４】
また、本発明の画像処理装置は、上記の画像処理装置において、前記画像補正部で行われる補正が、粒状抑制を行うための補正であることを特徴としている。
【００２５】
上記の発明によれば、前記画像補正部において、粒状抑制を行う補正がなされる。
【００２６】
したがって、原画像において粒状が目立つ画素値を有する画素に対しては強い強度で粒状抑制処理を行い、粒状が目立たない画素値を有する画素に対しては弱い強度で粒状抑制処理を行うことができる。その結果、画像全体としての鮮鋭度を保った状態のまま、画像全体の粒状抑制が可能となる。
【００２７】
また、本発明の画像処理装置は、上記の画像処理装置において、前記画像補正部で行われる補正が、鮮鋭化を行うための補正であることを特徴としている。
【００２８】
上記の発明によれば、前記画像補正部において、鮮鋭化処理を行う補正がなされる。
【００２９】
したがって、鮮鋭化処理を行うことによりざらつき感が目立たない画素値を有する画素に対しては強い強度で鮮鋭化処理を行い、ざらつき感の目立つ画素値を有する画素に対しては弱い強度で鮮鋭化処理を行うことができる。その結果、画像全体として、ざらつき感を抑えた状態のまま、画像全体の鮮鋭度を向上させることが可能となる。
【００３０】
本発明の画像処理方法は、上記の課題を解決するために、原画像の画像データに対して、各画素の画素値を補正する画像処理方法において、前記各画素の画素値に応じて、前記各画素の画素値に対する補正強度を設定する補正強度設定ステップと、前記補正強度を用いて、前記各画素の画素値を補正する画像処理ステップとを備えることを特徴としている。
【００３１】
上記の方法によれば、まず、補正強度設定ステップにおいて、各画素の画素値に応じた補正強度が設定される。つまり、画素値毎に、それぞれ補正強度が設定される。そして、画像補正ステップにおいては、上記補正強度を用いて、各画素の画素値が補正される。すなわち、それぞれの画素値に対応した補正強度により、画素値の補正が行われる。
【００３２】
したがって、補正強度を、補正の内容、つまり画像処理の内容に応じて適宜設定することにより、画像データの画素値に則した画像処理方法を提供することが可能となる。
【００３３】
また、本発明に係る画像処理プログラムは、上記画像処理装置の各部としてコンピュータを機能させるためのものである。
【００３４】
上記プログラムをコンピュータシステムにロードすることによって、上記画像処理装置をユーザに提供することが可能となる。
【００３５】
また、本発明に係る画像処理プログラムは、上記の画像処理方法をコンピュータに実行させるためのものである。
【００３６】
上記プログラムをコンピュータシステムにロードすることによって、上記画像処理方法をユーザに提供することが可能となる。
【００３７】
また、本発明に係る画像処理プログラムを記録した記録媒体は、上記画像処理プログラムを記録しているものである。
【００３８】
上記記録媒体に記録されている画像処理プログラムをコンピュータシステムにロードすることによって、上記画像処理装置または画像処理方法をユーザに提供することが可能となる。
【００３９】
【発明の実施の形態】
本発明の実施の一形態について図１ないし図９に基づいて説明すれば、以下の通りである。
【００４０】
図１は、本実施形態の画像出力システムの概略構成を示すブロック図である。上記画像出力システムは、画像入力部１、画像処理装置２、および画像出力部３を備えた構成となっている。また、上記画像処理装置２は、ＰＣ（Ｐｅｒｓｏｎａｌ　Ｃｏｍｐｕｔｅｒ）などによって構成されており、色および濃度別補正強度設定テーブル部４、テーブル作成部５、入力指示部６、および、画像処理部７（画像補正部）を備えている。ここで、テーブル作成部５と入力指示部６とあわせて、補正強度設定部という。
【００４１】
上記画像入力部１は、フィルムスキャナを備えており、このフィルムスキャナにより写真フィルムに記録された画像を読み取るブロックである。ここで、上記フィルムスキャナは、光源からの光を、写真フィルムに照射し、その透過光をＣＣＤ等で受光することにより、写真フィルムに記録された画像を読み取る。そして、フィルムスキャナは、読み取った画像データを赤色成分、緑色成分、および青色成分ごとに出力、つまり画像データをＲＧＢ値で出力する。そして、上記画像入力部１から出力された各画素のＲＧＢ値は、上記画像処理部７に送られ、この画像処理部７において画素毎にＹＣ１Ｃ２値に変換される。ここで、上記Ｙは輝度を、上記Ｃ１およびＣ２は色差を表している。このＲＧＢ値からＹＣ１Ｃ２値への変換は、従来から知られている方法であるため、詳細については省略する。なお、輝度および色差により表される表色系を、ＹＣ１Ｃ２色度座標系と称する。
【００４２】
上記色および濃度別補正強度設定テーブル部４（以下、強度設定テーブル部と称する）は、詳細については後述するが、上記の各ＹＣ１Ｃ２の値に応じて、それぞれの補正強度の値を有しているテーブルである。また、上記テーブル作成部５は、入力指示部６の指示に応じて、上記色および濃度別補正強度設定テーブル内の各補正強度を作成および／または変更するためのブロックである。さらに、上記テーブル作成部５は、グラフィカル・ユーザ・インタフェイス（ＧＵＩ）の構成をとっている。
【００４３】
また、上記画像処理部７は、詳細については後述するが、上記画像入力部１からの各画素の画像データ（ＹＣ１Ｃ２値）に対して、補正強度テーブル部４を参照して補正強度を設定し、画像処理を行った後、各画素のＹＣ１Ｃ２値をふたたびＲＧＢ値に戻すブロックである。
【００４４】
上記画像出力部３は、上記画像処理部７において処理された画像データを出力するためのブロックである。より具体的には、上記画像処理部７において処理された画像データに基づいて、感光材料である印画紙を露光することにより、印画紙上に画像を焼き付けるためのブロックである。画像データに応じた光を印画紙に照射するヘッドとしては、画像データに応じて画素ごとに印画紙への照射光を変調できる光変調素子が用いられる。このような光変調素子としては、例えばＰＬＺＴ露光ヘッド、ＤＭＤ（デジタル・マイクロミラー・デバイス）、ＬＣＤ（液晶表示装置）、ＬＥＤ（Ｌｉｇｈｔ　Ｅｍｉｔｔｉｎｇ　Ｄｉｏｄｅ）パネル、レーザー、ＦＯＣＲＴ（Ｆｉｂｅｒ　Ｏｐｔｉｃ　Ｃａｔｈｏｄｅ　Ｒａｙ　Ｔｕｂｅ）、ＣＲＴ（Ｃａｔｈｏｄｅ　Ｒａｙ　Ｔｕｂｅ）等が挙げられる。
【００４５】
なお、画像出力部３は、写真フィルムのスキャニングと印画紙の露光とを両方行うことができるオートプリンタとして構成してもよい。この場合、画像出力システムを、画像の読み取りから焼付けまでを行うオートプリンタと、画像処理装置２とを接続した構成とすることにより、システムの簡素化を図ることができる。
【００４６】
次に、上記画像処理装置２において行われる画像処理について説明する。
【００４７】
まず、上記画像処理部７で行われる画像処理が粒状抑制処理であるとして、以下説明する。なお、上記画像処理部７で行われる画像処理は、上記の粒状抑制処理に限定されることはなく、後述する鮮鋭化処理であってもよいし、さらに、他の画像処理であってもよい。
【００４８】
画像入力部１から出力された各画素の画像データ（画素値）は、上述したとおり、画像処理部７において、ＹＣ１Ｃ２値で示される画像データ（画素値）に変換される。ここで、原画像を形成する個々の画素の画像データは、通常、様々に異なったＹＣ１Ｃ２値を有している。例えば、図２に示すとおり、画素Ｐにおいては（ＹＰ，Ｃ１Ｐ，Ｃ２Ｐ）を、画素Ｑにおいては（ＹＱ，Ｃ１Ｑ，Ｃ２Ｑ）を有している。
【００４９】
本実施の形態においては、各画素の有するＹＣ１Ｃ２値に応じて、粒状抑制処理を行う際の強度を変更する。以下に、上記の粒状抑制処理の例を示す。
【００５０】
粒状抑制処理を行う場合、例えば、図３に示すような移動平均フィルタといわれるフィルタが、一般的に用いられている。ここで、上記移動平均フィルタを用いて任意の画素である画素Ｅの粒状抑制処理を行う場合、図４に示すとおり、上記画素Ｅの画像データ（ＹＥ，Ｃ１Ｅ，Ｃ２Ｅ）と、画素Ｅの周囲に存在する画素Ａ，Ｂ，Ｃ，Ｄ，Ｆ，Ｇ，Ｈ，および，Ｉの各画像データとを用いて粒状抑制が行われる。
【００５１】
つまり、粒状抑制処理された後の画素Ｅの画像データＥ’（ＹＥ’，Ｃ１Ｅ’，Ｃ２Ｅ’）は、例えば、以下の式（１）で示される値となる。ただし、式（１）において、（ＹＡ，Ｃ１Ａ，Ｃ２Ａ）は画素Ａの画像データを示し、他の画素についても同様な表記とする。また、上記式（１）における係数ａを、ここでは補正強度と称する。
【００５２】
【数１】
2004072234.tif 000003
【００５３】
ここで、本実施の形態における画像処理装置２では、上記補正強度ａの値が、上記画像データ（ＹＥ，Ｃ１Ｅ，Ｃ２Ｅ）により決定される。すなわち、画像データの色および濃度別に上記補正強度ａが与えられることになる。これにより、各画素の画像データの情報（色および濃度情報）に応じた画像処理が可能になる。以下、上記の色および濃度別の画像処理について、具体的に説明する。
【００５４】
上述したように、画像データ（Ｙ，Ｃ１，Ｃ２）の値に応じて、上記補正強度ａが決定される。この画像データと補正強度ａとの対応関係は、上記補正強度設定テーブル部４で設定されている。また、上記補正強度設定テーブル部４は、例えば、図５に示すとおり、横方向（ｘ方向）に３３分割、縦方向（ｙ方向）に３３分割、高さ方向（ｚ方向）に９分割された立体形状のテーブル部であって、合計９８０１個のセルからなっている。ただし、図５に示した補正強度設定テーブル部４は、一例であって、かつ、概略を示したものであり、これに限定されるものではない。なお、実際には、上記セルは、例えば記憶装置であるメモリのメモリ領域に対応するものである。
【００５５】
また、補正強度設定テーブル部４の各セルには、強度を示すデータが格納されている。さらに、上記各セルは、各画像データ（Ｙ，Ｃ１，Ｃ２）と１対１で対応付けされている。つまり、１つの（Ｙ，Ｃ１，Ｃ２）の値に対して、１つのセルが対応付けされている。
【００５６】
さらに、上記ｚ方向に平行であって、かつ、上記補正強度設定テーブル部４の中心を通る軸をＺ軸とすると、上記補正強度設定テーブル部４には、図６に示すとおり、Ｚ軸プラス方向ほど輝度（Ｙ）が高い画像データに対応するセルが、Ｚ軸から離れるにつれ彩度が高い画像データに対応するセルが備えられている。
【００５７】
ここで、粒状抑制処理を行う場合、写真を見る者の視線が人物に向くため、肌色に近い色に対して、粒状抑制の強度を強くすることが好ましい。また、輝度に関しては、輝度に応じて粒状抑制の強度を設定することが好ましい。一方、全ての色に対して、同様な強度で粒状抑制処理を行うと、粒状抑制の効果により、画像の鮮鋭度が低下してしまう。つまり、上記補正強度設定テーブル部４において、肌色に近い色から離れるほど、粒状抑制の強度を小さくすることが望ましい。
【００５８】
したがって、肌色に近い色（図６の領域Ｔ部分）に対しては、上記補正強度ａの値を大きな値に設定しておく。例えば、式（１）を用いて粒状抑制処理を行う場合には、補正強度ａの値を１としておく。ここで、上記画素Ｅの画像データが肌色に近い色とした場合、補正強度ａを１とすることにより、粒状抑制処理後の画素Ｅの画像データＥ’（ＹＥ’，Ｃ１Ｅ’，Ｃ２Ｅ’）は、以下の式（２）で示される値となり、画素Ｅは、周囲の画像データが混ざり込んだ画像、つまりぼけた画像となる。つまり、この画素Ｅ部分の粒状抑制処理が効果的に行われることになる。
【００５９】
【数２】
2004072234.tif 000004
【００６０】
一方、肌色に近い色から離れた色（例えば、図６のセルＵ）については、上記補正強度ａの値を小さな値に設定しておく。例えば、式（１）を用いて粒状抑制処理を行う場合には、補正強度ａの値を０．１とする。ここで、上記画素Ｅの画像データが肌色に近い色から離れた色とした場合、補正強度ａを０．１とすることにより、粒状抑制処理後の画素Ｅの画像データＥ’（ＹＥ’，Ｃ１Ｅ’，Ｃ２Ｅ’）は、粒状抑制処理前の画素Ｅの画像データＥ（ＹＥ，Ｃ１Ｅ，Ｃ２Ｅ）の寄与率の大きな画像データとなる。つまり、画素Ｅは、ほとんどぼけのない画像となる。
【００６１】
以上のように、上記補正強度ａの値を大きくすれば、画像のぼけ度合が増し、反対に上記補正強度ａの値を小さくすれば、画像のぼけ度合が減少する。なお、上記補正強度ａの値を０とすれば、もとの画像データがそのまま処理後の画像データとなる。
【００６２】
つまり、図１に基づいて説明すると、まず、画像入力部１から出力された画像データは、画像処理装置２内の画像処理部７に送られる。次に、上記画像処理部７は、画像入力部１から送られてきた個々の画像データに対応した粒状抑制強度の情報を得るために、色および濃度別強度テーブル部４から個々の画像データに対応したセル内の情報を取得する。そして、上記画像処理部７は、この個々の画像データに対応した補正強度でもって、式（１）に示すような粒状抑制処理を実施する。
【００６３】
このように、色および濃度毎に上記補正強度ａを変化させることにより、画像データのデータ特性（色および濃度）に則した画像処理を行うことが可能となる。つまり、粒状が目立つ画像データに対しては強い強度で粒状抑制処理を行い、粒状が目立たない画像データに対しては弱い強度で粒状抑制処理を行うことができる。その結果、画像全体としての鮮鋭度を保った状態のまま、画像全体の粒状抑制が可能となる。
【００６４】
なお、上記セル内の強度の情報は、予め設定された値であるが、これに限定されるものではなく、ユーザが上記強度を設定しなおすことも可能である。この場合には、上記テーブル作成部５および入力指示部６を利用する。具体的には、ユーザが、表示装置等（図示せず）にテーブル作成部５の作成画面を表示させ、この作成画面を用いて各セルの値を変更する。これにより、ユーザの好みに応じた粒状抑制処理が可能となる。
【００６５】
また、上記の粒状抑制処理においては、図３に示すような移動平均フィルタを用いたが、これに限定されるものではなく、フィルタとしては、粒状抑制処理に適したものであればよい。
【００６６】
以上においては、上記画像処理部７で行われる画像処理が粒状抑制処理であるとして説明をおこなった。そこで、以下においては、上記画像処理部７で行われる画像処理が鮮鋭化処理であるとして説明をおこなう。また、本実施の形態の鮮鋭化処理は、処理に用いるフィルタ、このフィルタによる処理（演算）方法、および、色および濃度別強度設定テーブルの各セルに与えられる補正強度がそれぞれに異なる点を除けば、上記粒状抑制処理と同じであるため、粒状抑制処理と重複する箇所については、その説明を省略する。
【００６７】
鮮鋭化処理を行う場合、例えば、図７に示すようなラプラシアンフィルタといわれるフィルタが、一般的に用いられている。ここで、上記ラプラシアンフィルタを用いて任意の画素である画素Ｅの鮮鋭化処理を行う場合は、粒状抑制処理の場合と同様に、上記画素Ｅの画像データ（ＹＥ，Ｃ１Ｅ，Ｃ２Ｅ）と、画素Ｅの周囲に存在する画素Ａ，Ｂ，Ｃ，Ｄ，Ｆ，Ｇ，Ｈ，および，Ｉの各画像データとを用いて鮮鋭化処理が行われる。
【００６８】
つまり、鮮鋭化処理された後の画素Ｅの画像データＥ’（ＹＥ’，Ｃ１Ｅ’，Ｃ２Ｅ’）は、例えば、以下の式（３）で示される値となる。
【００６９】
【数３】
2004072234.tif 000005
【００７０】
鮮鋭化処理の場合も上記粒状抑制処理の場合と同様に、画像処理装置２では、上記補正強度ａの値が、上記画像データ（ＹＥ，Ｃ１Ｅ，Ｃ２Ｅ）により決定される。すなわち、画像データの色・濃度別に上記強度ａが与えられることになる。これにより、各画素の画像データの情報（色・濃度情報）に応じた画像処理が可能になる。
【００７１】
ここで、鮮鋭化処理で用いる場合における、上記補正強度設定テーブル部４について説明する。なお、説明の便宜上、鮮鋭化処理を行う場合の補正強度設定テーブル部４を、補正強度設定テーブル部４’と称する。この色および濃度設定テーブル部４’は、上記色および濃度設定テーブル部４と同様に合計９８０１個のセルからなっており、この各セルには、上記粒状抑制処理における強度とは異なる強度を示すデータが格納されている。その他の構成は、上記色および濃度設定テーブル部４と同じであるため、記載を省略する。
【００７２】
また、画像処理装置２についても、粒状抑制処理における上記補正強度設定テーブル部４が色および濃度設定テーブル部４’に置き換わるだけであり、言い換えれば、上記各セルに格納されている補正強度を示すデータが異なるだけであり、画像処理装置２自体の構成に変化はない。それゆえ、上記画像処理装置２内における、各構成要素間の関連についての説明は省略する。
【００７３】
さらに、上記各セルに格納されている補正強度について説明すると、以下のとおりである。鮮鋭化処理を行う場合には、彩度が高い色に対して、粒状抑制の強度を強くすることが好ましい。また、輝度に関しては、輝度の低い色ほど鮮鋭化の強度を強くすることが好ましい。つまり、彩度が高く、かつ、輝度が低い色（例えば、図６の領域Ｖ部分）に対して、鮮鋭化の強度を強くすることが望ましい。
【００７４】
一方、全ての色に対して、上記彩度が高くて輝度が低い色と同様な強度で鮮鋭化処理を行うと、鮮鋭化の効果により、彩度が低くて輝度が高い色の部分にはざらつき感が生じ、かえって違和感のある画像となってしまうことがある。とりわけ、彩度が低くて輝度が高い色の部分が、原画像の平坦な部分（例えば、壁、空）に該当する場合には、上記ざらつき感が特に目立つようになる。そこで、上記補正強度設定テーブル部４’においては、彩度が高くて輝度が低い色からはなれる色（例えば、図６の領域Ｗ部分）ほど、鮮鋭化の強度を小さくすることとする。
【００７５】
つまり、彩度が高くて輝度が低い色に対しては、上記補正強度ａの値を大きな値に設定しておく。例えば、式（３）を用いて鮮鋭化処理を行う場合には、補正強度ａの値を１としておく。ここで、上記画素Ｅの画像データの彩度が高く、かつ、輝度が低い色の場合、補正強度ａを１とすることにより、鮮鋭化処理後の画素Ｅの画像データＥ’（ＹＥ’，Ｃ１Ｅ’，Ｃ２Ｅ’）は、以下の式（４）で示される値となる。
【００７６】
【数４】
2004072234.tif 000006
【００７７】
つまり、画素Ｅと、画素Ｅの周りの画素とに色の差（画像データの差）があり、かつ、周りの画素が明るい色を多く含む場合には、上記画素Ｅは一層明るくなる。また、画素Ｅと、画素Ｅの周りの画素とに色の差（画像データの差）があり、かつ、周りの画素が暗い色を多く含む場合には、上記画素Ｅは一層暗くなる。したがって、この画素Ｅ部分の鮮鋭化処理が効果的に行われることになる。
【００７８】
一方、彩度が低くて輝度が高い色については、上記補正強度ａの値を小さな値に設定しておく。例えば、式（３）を用いて鮮鋭化処理を行う場合には、補正強度ａの値を０．１とする。ここで、上記画素Ｅの画像データの彩度が低くて輝度が高い場合に、上記補正強度ａを０．１とすることにより、鮮鋭化処理後の画素Ｅの画像データＥ’（ＹＥ’，Ｃ１Ｅ’，Ｃ２Ｅ’）は、鮮鋭化処理前の画素Ｅの画像データＥ（ＹＥ，Ｃ１Ｅ，Ｃ２Ｅ）の寄与率の大きな画像データとなる。つまり、画素Ｅは、ほとんど鮮鋭化されていない画像となる。
【００７９】
以上のように、上記補正強度ａの値を大きくすれば、画像の鮮鋭度合が増し、反対に上記補正強度ａの値を小さくすれば、画像の鮮鋭度合が減少する。なお、上記補正強度ａの値を０とすれば、もとの画像データがそのまま処理後の画像データとなる。
【００８０】
以上のように、色および濃度毎に上記補正強度ａを変化させることにより、画像データのデータ特性（色および濃度）に則した画像処理を行うことが可能となる。つまり、ざらつき感が目立たない画像データに対しては強い強度で鮮鋭化処理を行い、ざらつき感の目立つ画像データに対しては弱い強度で鮮鋭化処理を行うことができる。その結果、画像全体として、ざらつき感を抑えた状態のまま、画像全体の鮮鋭度を向上させることが可能となる。
【００８１】
なお、補正強度設定テーブル部４’は、一例であって、これに限定されるものではない。また、上記の説明においては、フィルタとしてラプラシアンフィルタを用いているが、これに限定されるものではなく、上記フィルタとしては、鮮鋭化処理に適したものであればよい。
【００８２】
以上の説明では、粒状抑制処理と鮮鋭化処理とにおいて、それぞれ異なる補正強度設定テーブル部４と補正強度設定テーブル部４’とを用いた。しかしながら、必ずしもこれに限定されるものではない。
【００８３】
強い強度で粒状抑制処理を行うことが好ましい画像データと、弱い強度で鮮鋭化処理を行うことが好ましい画像データとは、同じような情報を有する画像データ（以下、同種画像データ）である。つまり、比較的に彩度の低い画像データが、この同種画像データに該当する。
【００８４】
また、弱い強度で粒状抑制処理を行うことが好ましい画像データと、強い強度で鮮鋭化処理を行うことが好ましい画像データとは、同じような情報を有する画像データ（同種画像データ）である。つまり、彩度の高い画像データが、同種画像データに該当する。したがって、以下に説明するように、粒状抑制処理用の補正強度設定テーブル部４と鮮鋭化処理用の補正強度設定テーブル部４’とを、一つの補正強度設定テーブル部４”にまとめることができる。
【００８５】
まず、上記補正強度設定テーブル部４”の各セルに格納される補正強度ａにプラスマイナスの符号を持たせる。すなわち、図８に示すとおり、補正強度ａがマイナスの場合には粒状抑制処理が行われ、補正強度ａがプラスの場合には、鮮鋭化処理が行われるように設定する。また、マイナスの値が大きくなるほど、粒状抑制の強度が強くなるように設定し、プラスの値が大きくなるほど、鮮鋭化の強度を強めるように設定しておく。ただし、上記粒状抑制処理の場合において、例えば上記式（１）を用いるのであれば、上記補正強度ａの絶対値を式（１）の補正強度ａとする。
【００８６】
以上のように、粒状抑制処理と鮮鋭化処理とが互いに相反する処理であるという点を考慮し、補正強度ａにプラスマイナスの符号を持たせることによって、一つの補正強度設定テーブル部４”により、粒状抑制処理と鮮鋭化処理とを同時に実行することが可能となる。
【００８７】
次に、図１に示す画像出力システムの処理の流れについて、図９に示すフローチャートに基づきながら以下に説明する。
【００８８】
まず、写真フィルム上に記録されている原画像が読み取られ、原画像の画像データが取得される（ステップ１、以降、Ｓ１のように称する）。つぎに、Ｓ１において読み取った画像の各画素について、各画素の画像データ（画素値）に対応した補正強度が設定される（Ｓ２）。そして、上記Ｓ２において設定された補正強度に応じて、各画素の画像データの補正、つまり画像処理が実行される（Ｓ３）。Ｓ３の後は、上記画像処理された画像データが出力、つまり、写真焼付装置等によって、写真としてプリントアウトされる（Ｓ４）。
【００８９】
本実施の形態においては、画像処理の一例として、粒状抑制処理と鮮鋭化処理とについて説明したが、上述したとおり、これらの処理に限定されるものではない。すなわち、本実施の形態の画像処理装置２は、各画素を、その画素の有する色および濃度別に応じて処理するものであり、さまざまな画像処理に適用可能である。
【００９０】
また、上記においては、各画素の画像データであるＲＧＢ値を、一旦ＹＣ１Ｃ２値に変換した後、このＹＣ１Ｃ２値に基づく強度により画像処理を行った。しかしながら、必ずしもこれに限定されるものでない。
【００９１】
例えば、各ＲＧＢ値に対応した補正強度を設定しておき、このＲＧＢ値に基づく補正強度により画像処理を行ってもよい。あるいは、ＲＧＢ値を、例えば、一旦、Ｌ＊ａ＊ｂ＊表色系、Ｌ＊Ｃ＊ｈ表色系、または、ＸＹＺ表色系で示される値に変換し、一方で各変換値に対応した補正強度を別途設定しておき、この設定された強度により画像処理を行ってもよい。また、ＲＧＢ値を、色相値、彩度値、および、濃度値で表される値に変換し、一方で変換値に対応した補正強度を別途設定しておき、この設定された強度により画像処理を行ってもよい。
【００９２】
また、各画素の画像データ（画素値）が、輝度および色から構成される表色系で表されるものであれば、上記補正強度を用いた画像処理の対象となる画像データの形式は特に限定されない。なお、詳細については省略するが、上記の場合においては、それぞれの形態に則した色および濃度別補正強度設定テーブル部を別途設けておく。
【００９３】
ところで、以上の実施の形態で説明した処理は、プログラムで実現することが可能である。このプログラムはコンピュータで読み取り可能な記録媒体に格納されている。本発明では、この記録媒体として、画像処理装置２で処理が行われるために必要な図示していないメモリ（例えばＲＯＭそのもの）であってもよいし、また図示していないが外部記憶装置としてプログラム読み取り装置が設けられ、そこに記録媒体を挿入することで読み取り可能なプログラムメディアであっても構わない。
【００９４】
上記いずれの場合においても、格納されているプログラムはマイクロプロセッサ（図示せず）のアクセスにより実行される構成であってもよいし、格納されているプログラムを読み出し、読み出したプログラムを図示されていないプログラム記憶エリアにダウンロードすることにより、そのプログラムが実行される構成であってもよい。この場合、ダウンロード用のプログラムは予め本体装置に格納されているものとする。
【００９５】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード（メモリーカードを含む）／光カードのカード系、あるいはマスクＲＯＭ、ＥＰＲＯＭ、フラッシュＲＯＭ等による半導体メモリを含めた固定的にプログラムを担持する媒体であってもよい。
【００９６】
【発明の効果】
本発明の画像処理装置は、以上のように、前記各画素の画素値に応じて、前記各画素の画素値に対する補正強度が設定されている補正強度設定部と、前記補正強度を用いて、前記各画素の画素値を補正する画像補正部とを備えることを特徴とするものである。
【００９７】
それゆえ、補正強度を、補正の内容、つまり画像処理の内容に応じて適宜設定することにより、原画像の画像データにおける個々の画素値に則した画像処理を行うことができる画像処理装置を提供することが可能となるという効果を奏する。
【００９８】
また、本発明の画像処理装置は、上記の画像処理装置において、前記各画素の画素値は、輝度および色から構成される表色系で表される画素値であるものである。
【００９９】
それゆえ、輝度および色に応じて、補正強度を設定することが可能となるという効果を奏する。
【０１００】
また、本発明の画像処理装置は、上記の画像処理装置において、前記表色系は、輝度および色差によるＹＣ１Ｃ２色度座標系であるものである。
【０１０１】
それゆえ、輝度および色差に応じて、補正強度を設定することが可能になるという効果を奏する。
【０１０２】
また、本発明の画像処理装置は、上記の画像処理装置において、前記補正強度を変更するための補正強度変更部をさらに備えるものである。
【０１０３】
それゆえ、ユーザが、適宜、上記補正強度を変更することにより、ユーザの好みに応じた画像処理が可能となるという効果を奏する。
【０１０４】
また、本発明の画像処理装置は、上記の画像処理装置において、前記画像補正部で行われる補正が、粒状抑制を行うための補正であるものである。
【０１０５】
それゆえ、原画像において粒状が目立つ画素値を有する画素に対しては強い強度で粒状抑制処理を行い、粒状が目立たない画素値を有する画素に対しては弱い強度で粒状抑制処理を行うことができる。その結果、画像全体としての鮮鋭度を保った状態のまま、画像全体の粒状抑制が可能となるという効果を奏する。
【０１０６】
また、本発明の画像処理装置は、上記の画像処理装置において、前記画像補正部で行われる補正が、鮮鋭化を行うための補正であるものである。
【０１０７】
それゆえ、鮮鋭化処理を行うことによりざらつき感が目立たない画素値を有する画素に対しては強い強度で鮮鋭化処理を行い、ざらつき感の目立つ画素値を有する画素に対しては弱い強度で鮮鋭化処理を行うことができる。その結果、画像全体として、ざらつき感を抑え状態のまま、画像全体の鮮鋭度を向上させることが可能となるという効果を奏する。
【０１０８】
本発明の画像処理方法は、以上のように、前記各画素の画素値に応じて、前記各画素の画素値に対する補正強度を設定する補正強度設定ステップと、前記補正強度を用いて、前記各画素の画素値を補正する画像処理ステップとを備える方法である。
【０１０９】
それゆえ、補正強度を、補正の内容、つまり画像処理の内容に応じて適宜設定することにより、画像データの画素値に則した画像処理方法を提供することが可能となるという効果を奏する。
【０１１０】
また、本発明に係る画像処理プログラムは、上記画像処理装置の各部としてコンピュータを機能させるためのものである。
【０１１１】
それゆえ、上記プログラムをコンピュータシステムにロードすることによって、上記画像処理装置をユーザに提供することが可能となるという効果を奏する。
【０１１２】
また、本発明に係る画像処理プログラムは、上記の画像処理方法をコンピュータに実行させるためのものである。
【０１１３】
それゆえ、上記プログラムをコンピュータシステムにロードすることによって、上記画像処理方法をユーザに提供することが可能となるという効果を奏する。
【０１１４】
また、本発明に係る画像処理プログラムを記録した記録媒体は、上記画像処理プログラムを記録しているものである。
【０１１５】
それゆえ、上記記録媒体に記録されている画像処理プログラムをコンピュータシステムにロードすることによって、上記画像処理装置または画像処理方法をユーザに提供することが可能となるという効果を奏する。
【図面の簡単な説明】
【図１】本発明の一実施形態に係る、画像出力システムの概略構成を示すブロック図である。
【図２】ＹＣ１Ｃ２変換した後の画素値を示す説明図である。
【図３】粒状抑制処理に用いられるフィルタを示した説明図である。
【図４】フィルタ処理を説明するための説明図である。
【図５】色および濃度別補正強度設定テーブル部をあらわす概念図である。
【図６】上記色および濃度別補正強度設定テーブル部を説明する説明図である。
【図７】鮮鋭化処理に用いられるフィルタを示した説明図である。
【図８】補正強度に対する、処理内容および処理の強弱を示す説明図である。
【図９】上記画像出力システムにおける処理の流れを示すフローチャートである。
【符号の説明】
１　画像入力部
２　画像処理装置
３　画像出力部
４　色および濃度別補正強度設定テーブル部（補正強度設定部）
５　テーブル作成部（補正強度変更部）
６　入力指示部（補正強度変更部）
７　画像処理部（画像補正部）
【図１】
2004072234.tif 000007
【図２】
2004072234.tif 000008
【図３】
2004072234.tif 000009
【図４】
2004072234.tif 000010
【図５】
2004072234.tif 000011
【図６】
2004072234.tif 000012
【図７】
2004072234.tif 000013
【図８】
2004072234.tif 000014
【図９】
2004072234.tif 000015